(57)【要約】【課題】他の車載計器類との間の視覚的な一体感があり、複雑に傾いたインスツルメントパネルでも容易にフィットできるレーダー探知機を得るにある。【解決手段】車室内パネルに固定できる取付ベースと、この取付ベースに対して取付角度を調整可能にヒンジ接手されるリング状保持枠と、この保持枠に回動調整可能に支持されかつ探知された無線電波の存在を知らせる表示器及び発光・音響告知手段を内蔵する本体ケースとを備え、前記リング状保持枠と前記本体ケースとの間には前記表示器の水平状態を保てるように本体ケースの角度を調整できるクリック手段が設けられたレーダー探知機。【選択図】図４
2010048679.tif 000002
【特許請求の範囲】
【請求項１】
高周波アンテナを内蔵されて、車外からのレーダー波や高周波無線を探知する車載レーダー探知機であって、車室内パネルに固定できる取付ベースと、この取付ベースに対して取付角度を調整可能にヒンジ接手されるリング状保持枠と、このリング状保持枠を中心として回動可能にリング状保持枠に保持されかつ内部に探知された無線電波の存在を知らせる表示器及び発光・音響告知手段を内蔵する本体ケースとを備え、前記リング状保持枠と前記本体ケースとの間には前記表示器の水平状態を保てるように本体ケースの角度を調整できるクリック手段が設けられたことを特徴とするレーダー探知機。
【請求項２】
前記本体ケースの内部にはＧＰＳアンテナが内蔵されること特徴とする請求項１記載のレーダー探知機。
【請求項３】
前記クリック手段は、前記本体ケースの外周面及びリング状保持枠の内周面のいずれか一方に形成されたセレーションと、圧縮ばねにより前記セレーションに向かって押圧された状態で前記本体ケース及び前記リング状保持枠の他方に設けられる半固定爪で構成された請求項１または請求項２記載のレーダー探知機。
【請求項４】
前記クリック手段は、前記本体ケースの外周面及びリング状保持枠の内周面のいずれか一方に形成されたセレーションと、前記セレーションに対して弾力的に係合するように前記本体ケース及び前記リング状保持枠の他方に一体成形される弾性爪で構成された請求項１または請求項２記載のレーダー探知機。
【請求項５】
前記クリック手段は、前記本体ケースの外周面及びリング状保持枠の内周面のいずれか一方に形成されたセレーションと、前記セレーションに対して弾力的に係合するように前記本体ケース及び前記リング状保持枠の他方に保持された板ばねで構成された請求項１または請求項２記載のレーダー探知機。
【発明の詳細な説明】
【技術分野】
【０００１】
本発明は車外のレーダー波や高周波無線を探知する車載レーダー探知機に関し、特に好ましい表示状態や受信状態が得られるレーダー探知機構造に関する。
【背景技術】
【０００２】
周知のように、車載レーダー探知機にあっては、視覚及び聴覚でドライバーに車外のレーダー波や高周波無線の存在を知らせるので、高周波アンテナを内蔵するレーダー探知機はその表示器をドライバーに対面させた状態で搭載する必要がある。
【０００３】
このため、従来のレーダー探知機は、例えば特願２００６−０７０３２９号明細書に示すように、その表示器をドライバーに対面させた状態でドライバー席サンバイザーに取付けるか、または、特願２００４−０７７１４９号明細書及び特願２００６−２３８６２０号明細書に示すように、その表示器をドライバーに対面させた状態でインスツルメントパネルの上面に固定されるのが普通である。
【特許文献１】特願２００４−０７７１４９
【特許文献２】特願２００６−０７０３２９
【特許文献３】特願２００６−２３８６２０
【０００４】
しかしながら、従来のレーダー探知機構造では概ね表示器をドライバーに向けることはできても、サンバイザーの使用中はその対面状態を得ることができず、インスツルメントパネルの湾曲した上面では表示器が傾いてしまい、表示器の状態が他の計器類に比較して違和感のある取付状態になっている。
【０００５】
このため、従来では、固定用取付ベースに球面座を形成し、同球面座にレーダー探知機ケースを調整して取付ける構造も考えられているが、この構造では、球面座による調整がやっかいで、表示器の水平状態を保って正確に取付けることができなかった。
【発明の開示】
【発明が解決しようとする課題】
【０００６】
本発明の目的は、以上に述べたような従来のレーダー探知機の問題に鑑み、その表示器の水平線を未熟な者でも簡単に割出し調整でき、他の車載計器類との間の視覚的な一体感があり、複雑に傾いたインスツルメントパネルでも容易にフィットできるレーダー探知機を得るにある。
【課題を解決するための手段】
【０００７】
この目的を達成するため、本発明は、高周波アンテナを内蔵されて、車外からのレーダー波や高周波無線を探知する車載レーダー探知機であって、車室内パネルに固定できる取付ベースと、この取付ベースに対して取付角度を調整可能にヒンジ接手されるリング状保持枠と、このリング状保持枠を中心として回動可能にリング状保持枠に保持されかつ内部に探知された無線電波の存在を知らせる表示器及び発光・音響告知手段を内蔵する本体ケースとを備え、前記リング状保持枠と前記本体ケースとの間には前記表示器の水平状態を保てるように本体ケースの角度を調整できるクリック手段が設けられたレーダー探知機を提案するものである。
【発明の効果】
【０００８】
本発明によれば、ドライバーの視線に対してヒンジ軸が直角な状態になるように取付ベースをインスツルメントパネルなどに固定し、表示器の向きが水平になるようにリング状保持枠に対して本体ケースを回動調整するだけで、表示器の水平線を未熟な者でも簡単に割出し調整でき、他の車載計器類との間の視覚的な一体感がある表示状態が得られ、複雑に傾いたインスツルメントパネルでも容易にフィットできる。
【発明を実施するための最良の形態】
【０００９】
後述する本発明の好ましい実施例の説明では、次のような構造が説明される。
１）前記本体ケースの内部にはＧＰＳアンテナが内蔵される構造（請求項２）。この構造によれば、効果的な受信に必要なＧＰＳアンテナの向きが自動的に得られる。
２）前記クリック手段は、前記本体ケースの外周面及びリング状保持枠の内周面のいずれか一方に形成されたセレーションと、圧縮ばねにより前記セレーションに向かって押圧された状態で前記本体ケース及び前記リング状保持枠の他方に設けられる半固定爪で構成された構造（請求項３）。
３）前記クリック手段は、前記本体ケースの外周面及びリング状保持枠の内周面のいずれか一方に形成されたセレーションと、前記セレーションに対して弾力的に係合するように前記本体ケース及び前記リング状保持枠の他方に一体成形される弾性爪で構成された構造（請求項４）。
４）前記クリック手段は、前記本体ケースの外周面及びリング状保持枠の内周面のいずれか一方に形成されたセレーションと、前記セレーションに対して弾力的に係合するように前記本体ケース及び前記リング状保持枠の他方に保持された板ばねで構成された構造（請求項５）。
よって、２）から４）記載の構造によれば、構成が簡単で、リング状保持枠に対して本体ケースを簡単に回動調整できる半固定状態のクリック手段が得られる。
【実施例１】
【００１０】
以下、図面について本発明の実施例の詳細を説明する。
図１から図５は本発明の第１実施例によるレーダー探知機を示し、符号“１”は取付ベースであり、この取付ベース１は底面の粘性タック１ａを用いてドライバーに面したインスツルメントパネルＡに固定できる。
【００１１】
前記取付ベース１の上部にはヒンジ接手を介して樹脂成形されるリング状保持枠３が回動可能に支持される。即ち、図５に示すように、ナット２を有する取付ベース１の対向する一対の接手部１ｂには、リング状保持枠３の基部接手３ａのヒンジ孔４に挿入されたヒンジネジ５Ａ，５Ｂがねじ込まれる。
したがって、リング状保持枠３は対向状態におかれるヒンジネジ５Ａ，５Ｂを中心として取付ベース１に対して回動調整できるが、相対的な同回動状態はヒンジネジ５Ａ，５Ｂを締付けることによりリング状保持枠３と取付ベース１との関係を固定できる。
【００１２】
前記リング状保持枠３はレーダー探知機本体である本体ケース７を保持する円筒保持部３ａを有しており、同本体ケース７の内部には車外の電界状態をドライバーに知らせるＥＬ液晶素子等の表示器８及びスピーカー９を組み込んである。
【００１３】
前記本体ケース７は前記円筒保持部３ａから抜出さぬようにリング状保持枠３の前後から組立てられる表面パネル７ａ及びケース７ｂからなり、表示窓１０、受光窓１１、発光窓１２を形成された前記表面パネル７ａの内部には、前記表示窓１０の透明ガラス１４に対応した前記表示器８、受光窓１１の対応するリモコン受光素子１５、発光窓１２に対応する発光ダイオード１３を搭載された垂直方向の第１プリント基板１６が組み込まれる。
【００１４】
そして、樹脂成形されるケース７ｂの内部には、高周波の受信状態をドライバーに音響的に伝える下向きのスピーカー９、並びに、ＣＰＵチップ１７、高周波アンテナ、音声変換素子等の回路素子１８を搭載する水平方向の第２プリント基板２０が組み込んである。また、前記ケース７ｂの内部には、前記第２プリント基板２０に対して平行状態を保った水平方向の補助プリント基板２１が組み込まれ、この補助プリント基板２１に固定されたＧＰＳアンテナ２２により、レーダー探知機の方位が検出・算定される。
【００１５】
前記リング状保持枠３の円筒保持部３ａと本体ケース７のケース７ｂとの間には、本体ケース７を調整された半固定状態に保持するクリック手段が設けられる。実施例１の場合、このクリック手段は、前記円筒保持部３ａの内周面に臨んでケース７ｂの外周面に形成されるセレーション２４と、このセレーション２４に対面した状態でリング状保持枠３の下部に位置された一対の半固定爪２５（図５図示）とからなり、これらの半固定爪２５はリング状保持枠３の内部にある取付部３ｃ、３ｄの内部の圧縮ばね２６でセレーション２４に向かって押圧される。
【００１６】
実施例１のレーダー探知機は、以上のような構造であるから、図８に示すような複雑に傾斜したインスツルメントパネルＡの表面であっても、ドライバーに正確に正対した状態に調整して取付けることができる。
詳細に説明すると、取付に当たっては、表示器８の表面がドライバーに略正対するような状態で取付ベース１を希望するインスツルメントパネルＡの位置に粘性タック１ａで固定する。この後、ヒンジネジ５Ａ，５Ｂを緩めた状態で取付ベース１に対してリング状保持枠３を、ヒンジ接手を中心として起倒し、リング状保持枠３の腑仰状態を変え、表面パネル７ａの向きを垂直状態とする。
次いで、本体ケース７の表示器８の水平度、即ち表示器８の水平線が水平となるように、リング状保持枠３に対して本体ケース７を矢印Ｒ方向に強く手動操作すれば、半固定爪２５がセレーション２４の表面を滑り、手動による回動力を解けば、リング状保持枠３に対する本体ケース７の回動位置が決まり、圧縮ばね２６による押圧力で半固定爪２５が当回動位置に半固定状態におかれる。
【００１７】
インスツルメントパネルＡに対するレーダー探知機の取付状態では、図８に示すように、ヒンジ接手の調整でリング状保持枠３が正確に垂直面内に位置され、リング状保持枠３に対するクリック手段からの本体ケース７の回動調整で、表示器８の水平線を保って表面パネル７ａを垂直状態にすることができる。したがって、インスツルメントパネルＡの他の計器類と一体感のある表示状態が得られる。そして、本体ケース７にＧＰＳアンテナ２２を内蔵させる場合には、傾斜状態に応じたリング状保持枠３及び本体ケース７の調整により、自動的にＧＰＳアンテナ２２の水平状態が得られるので、搭載される自動車の方位を正確に検出・算定できる。
【実施例２】
【００１８】
実施例２を示す図６は前述した図５相当拡大断面図であり、この実施例においても、ケース７ｂの外周面にセレーション２４が形成される点では実施例１の場合と同様である。
つまり、実施例２においては、ケース７ｂのセレーション２４に臨んだ弾性爪２７が樹脂成形されるリング状保持枠３の基部３ｃに一体され、同弾性爪２７の突起２７ａが弾性爪２７自体の弾性変形によりセレーション２４の表面に弾力的に接触される。
したがって、セレーション２４に対する弾性爪２７の係合により、リング状保持枠３に対する本体ケース７の回動調整状態に半固定されることになるが、弾性爪２７はケース７ｂに一体成形されるので、製造原価が割安なものとなる。
【実施例３】
【００１９】
実施例３を示す図７は、図６と同様に前述した図５相当拡大断面図であり、この実施例においても、ケース７ｂの外周面にセレーション２４が形成される点では実施例１の場合と同様である。
つまり、実施例３においては、ケース７ｂのセレーション２４に臨んで山形に加工される板ばね２８が樹脂成形されるリング状保持枠３の内部保持部３ｄに一体され、同板ばね２８の突起２８ａがセレーション２４の表面に弾力的に接触される。
したがって、セレーション２４に対する板ばね２８の係合により、リング状保持枠３に対する本体ケース７の回動調整状態に半固定されることになるが、実施例１の場合よりも製造原価が割安なものとなる。
【産業上の利用可能性】
【００２０】
前述した本発明の実施例１，２，３の説明においては、ケース７ｂの外周面にセレーション２４を形成したものを例示したが、このセレーション２４はリング状保持枠３の内周面に形成してもよく、この場合、ケース７ｂの外周面には半固定爪２５、弾性爪２７、板ばね２８が配置することになる。
【００２１】
また、前述した本発明の実施例においては、ＧＰＳアンテナ２２を本体ケース７中に内蔵させたものを例示したけれども、ＧＰＳアンテナ２２は、本体ケース７に外付けとするか、または、別体とすることもできる。
【図面の簡単な説明】
【００２２】
【図１】本発明の実施例１によるレーダー探知機の全体斜視図である。
【図２】同レーダー探知機の正面図である。
【図３】同レーダー探知機の側面図である。
【図４】図１の４-４線に沿う断面図である。
【図５】図３の５-５線に沿う拡大断面図である。
【図６】本発明の実施例２による図５と同様の図である。
【図７】本発明の実施例３による図５と同様の図である。
【図８】実施例１によるレーダー探知機のインスツルメントパネルに対する取付状態を示す全体斜視図である。
【符号の説明】
【００２３】
Ａ    インスツルメントパネル
１    取付ベース
３    リング状保持枠
３ｂ  円筒保持部
５Ａ，５Ｂ  ヒンジネジ
７    本体ケース
７ａ  表面パネル
７ｂ  ケース
８    表示器
９    スピーカー
１０  表示窓
１１  受光窓
１２  発光窓
１３  発光ダイオード
１６  第１プリント基板
２０  第２プリント基板
２１  補助プリント基板
２２  ＧＰＳアンテナ
２４  セレーション
２５  半固定爪
２６  圧縮ばね
２７  弾性爪
２８  板ばね
【図１】
2010048679.tif 000003
【図２】
2010048679.tif 000004
【図３】
2010048679.tif 000005
【図４】
2010048679.tif 000006
【図５】
2010048679.tif 000007
【図６】
2010048679.tif 000008
【図７】
2010048679.tif 000009
【図８】
2010048679.tif 000010